(57)【要約】【課題】反射部材が照明装置の内部に収納可能であり、かつ、反射部材の大きさが照明装置の大きさに依存しない照明装置を提供する。【解決手段】発光部２と、発光部２から照射される光の一部を反射させる反射部材２００と、を有する照射装置１であって、反射部材２００は、発光部２から引き出し可能に発光部２に収納される複数の反射板２００ａ〜２００ｃを有し、複数の反射板２００ａ〜２００ｃは、前記引き出し動作に伴って収納された状態の面積よりも大きく展開される。【選択図】図８
2019124783.tif 000002
【特許請求の範囲】
【請求項１】
発光部と、前記発光部から照射される光の一部を反射させる反射部材と、を有する照射装置であって、
前記反射部材は、前記発光部から引き出し可能に前記発光部に収納される複数の反射板を有し、前記複数の反射板は、前記引き出し動作に伴って前記収納された状態の面積よりも大きく展開されることを特徴とする照明装置。
【請求項２】
前記複数の反射板は、互いに回転可能に係止されていることを特徴とする請求項１に記載の照明装置。
【請求項３】
前記複数の反射板は、中央と前記中央の左右にそれぞれ配置され、前記収納された状態から前記引き出し動作により展開された状態まで、前記左右の反射板どうしが互いに重ならないように配置されていることを特徴とする請求項１または２に記載の照明装置。
【請求項４】
前記左右の反射板は、それぞれフォロアを有し、前記フォロアは、外装部材に設けられたカム溝に沿って移動することを特徴とする請求項３に記載の照明装置。
【請求項５】
前記反射部材は、前記複数の反射板が展開された状態で外形形状が略円形になる部分を有することを特徴とする請求項１乃至４のいずれか一項に記載の照明装置。
【請求項６】
前記複数の反射板は、それぞれスライド動作が可能に係合し、前記引き出し動作に伴って、前記引き出し方向と平行に展開されることを特徴とする請求項１に記載の照明装置。
【請求項７】
照射装置が内蔵または着脱可能に装着される撮像装置であって、
前記照射装置として、請求項１乃至６のいずれか一項に記載の照射装置を備えることを特徴とする撮像装置。
【発明の詳細な説明】
【技術分野】
【０００１】
本発明は、例えばデジタルカメラ等の撮像装置に用いられるストロボ装置等の照明装置に関し、特に照射光の一部を反射させる反射部材を有する照明装置に関する。
【背景技術】
【０００２】
ストロボ装置等の照明装置では、被写体に直接照射するのではなく、周囲の壁や天井に向けて照明光を照射してその反射光を用いて撮影を行う、所謂バウンス撮影を行うことがある。このとき、被写体である人物の目に照射光が直接入らないため、目の表情が生き生きとした表情の写真を得ることが出来ないことがある。これを回避すべく、ストロボ装置から照射される光の一部を、反射部材を用いて反射させ、被写体側へ照射する所謂キャッチライト撮影が用いられている。
【０００３】
例えば、特許文献１では、ストロボ装置の内部に収納可能な反射部材を備え、ストロボ光の照射範囲を変える透光反射板の引き出し動作に追従して反射部材を照射方向に対して平行になるように引き出す技術が提案されている。この提案では、ストロボ装置から照射された光の一部が反射部材によって被写体側へ照射される。
【先行技術文献】
【特許文献】
【０００４】
【特許文献１】実開平６−２３４５号公報
【発明の概要】
【発明が解決しようとする課題】
【０００５】
しかし、上記特許文献１では、反射部材がストロボ装置の内部に収納可能であることから、反射部材の大きさがストロボ装置の大きさによって制限され、キャッチライト撮影の効果も制限される。
【０００６】
そこで、本発明の目的は、反射部材が照明装置の内部に収納可能であり、かつ、反射部材の大きさが照明装置の大きさに依存しない照明装置を提供することにある。
【課題を解決するための手段】
【０００７】
上記目的を達成するために、本発明は、発光部と、前記発光部から照射される光の一部を被写体側へ反射させる反射部材と、を有する照射装置において、前記反射部材は、前記発光部から引き出し可能に前記発光部に収納される複数の反射板を有し、前記複数の反射板は、前記引き出し動作に伴って前記収納された状態の面積よりも大きく展開されることを特徴とする。
【発明の効果】
【０００８】
本発明によれば、反射部材が照明装置の内部に収納可能であり、かつ、反射部材の大きさが照明装置の大きさに依存しない照明装置を提供することができる。
【図面の簡単な説明】
【０００９】
【図１】本発明の照明装置の第１の実施形態に係るストロボ装置の斜視図である。
【図２】ストロボ装置の正面側から見た分解斜視図である。
【図３】ストロボ装置の左右方向に直交する断面を示す断面図である。
【図４】ヘッド部の分解斜視図である。
【図５】発光ユニットの分解斜視図である。
【図６】ヘッド部の左右方向に直交する断面を示す断面図である。
【図７】ヘッド部の上面斜視図である。
【図８】ヘッド部に対するキャッチライトシートの挿抜動作について説明する上面図である。
【図９】本発明の照明装置の第２の実施形態に係るストロボ装置における、ヘッド部の上面斜視図である。
【図１０】ヘッド部に対するキャッチライトシートの挿抜動作について説明する上面図である。
【発明を実施するための形態】
【００１０】
以下、図面を参照して、本発明の実施形態を説明する。
【００１１】
（第１の実施形態）
図１（ａ）は本発明の照明装置の第１の実施形態に係るストロボ装置１を正面側から見た外観斜視図、図１（ｂ）は図１（ａ）に示すストロボ装置１を背面側から見た外観斜視である。
【００１２】
図１に示すように、本実施形態のストロボ装置１は、大きく分けて、上部側のヘッド部２と下部側の制御部３とから構成されている。ヘッド部（発光部）２は、光学パネル４の内側に光源である円筒状のキセノン管を備え、旋回動作により光学パネル４からの照射光の照射方向を変化させる所謂バウンス機能を有する。また、ヘッド部２は、ヘッドアッパーカバー５と、ヘッドロアーカバー１２と、円筒状のバウンスケース６とを備える。
【００１３】
ヘッドアッパーカバー５及びヘッドロアーカバー１２は、バウンスケース６に対して相対的に上下方向（ＺＸ面内方向）における旋回動作が可能である。バウンスケース６は、制御部３に対して相対的に水平方向（ＸＹ面内方向）における旋回動作が可能である。このように、ヘッド部２は、制御部３に対して相対的に回動可能であり、光源の照射方向を変化させるように動作する。制御部３は、ヘッド部２を支持してヘッド部２の動作を制御する。
【００１４】
リアカバー１３は、制御部３の背面側に設けられている。リアカバー１３には、表示部１４、電源スイッチ１５、操作ボタン１６、ダイヤル１７等の操作部が配置され、各種の機能設定を行う。電池蓋１０は、制御部３の内部に電源用電池を装填するための開閉可能な蓋である。
【００１５】
制御部３の下面側のボトムカバー８には、不図示の撮像装置であるカメラのアクセサリシューに着脱可能に装着するための接続部である脚部９が設けられている。フロントカバー７は、制御部３の正面側の外装部材である。フロントカバー７の中央部には、その前方に突出したバルジ部７ａ（膨らみ部）が設けられている。バルジ部７ａの下半分には、光パルス通信用、および、低輝度時にカメラの焦点検出を補助する補助光照射用の窓１１が配置されている。
【００１６】
このように、本実施形態では、制御部３のバルジ部７ａが設けられている側を正面側（前面側）、表示部１４や操作部が設けられている側を背面側（後面側）とし、制御部３の脚部９が設けられている側を下面側としている。そして、図１に示したＸ方向は、制御部３の前後方向、Ｙ方向は制御部３の左右方向、Ｚ方向は制御部３の上下方向に対応している。なお、以下では特に説明がない限り、ストロボ装置１の前後方向、左右方向、上下方向は、制御部３の前後方向、左右方向、上下方向と等しいものとする。なお、本実施形態では、カメラに着脱可能に装着されるストロボ装置を例示したが、カメラに内蔵されるストロボ装置であってもよい。
【００１７】
次に、図２及び図３を参照して、制御部３の内部構成について説明する。図２は、ストロボ装置１の正面側から見た分解斜視図である。図３は、ストロボ装置１の左右方向に直交する断面を示す断面図である。
【００１８】
図３に示すように、制御部３の内部中央には、バッテリーケース２４が設けられている。バッテリーケース２４の電池収納部２４ａには、電源用の電池３３（本実施形態では、四本の単三型電池）が略四角形状の配置で収納される。電池収納部２４ａの上方には、ヘッド部２から突出するバウンスケース６の軸部６ａとの間において、所定の空間領域３５が設けられている。空間領域３５は、ワイヤーハーネス２６を弛緩させた状態で収納するために設けられている。ワイヤーハーネス２６は、後述のメイン基板３２、および、基板２５（図２参照）に接続される。
【００１９】
このとき、ワイヤーハーネス２６がその長さに余裕を持たずに緊張状態を有して接続された場合、ヘッド部２の左右旋回動作により捩じり力を受け、断線する可能性がある。このため、ワイヤーハーネス２６を空間領域３５内にて左右旋回動作の影響を受けないように十分な弛みを持たせて収納する。
【００２０】
バッテリーケース２４の背面側、すなわちリアカバー１３側には、デジタル系の回路を備えたメイン基板３２が配置されており、メイン基板３２にはＣＰＵ３１が実装されている。また、メイン基板３２には、リアカバー１３に配置された電源スイッチ１５等の各種の操作部材に対応したスイッチ素子類も実装される。
【００２１】
表示部１４の内側には、ＬＣＤ２９（液晶ディスプレイ）が配置される。バッテリーケース２４の正面側及び下面側には、それぞれ昇圧トランス（不図示）を備えた昇圧回路や不図示のＦＥＴ（電界効果トランジスタ）を備えた発光制御回路を有する基板２５（図２参照）と基板３４が取り付けられている。
【００２２】
バッテリーケース２４の正面側には、図２に示すように、台座２３及び基板２５が互いに重ならないように取り付けられている。台座２３の正面側には、台座２３に一体形成された複数の係止爪２３ａによって、無線モジュール２０が取り付けられている。無線モジュール２０の上端側には、無線通信用のアンテナ２０ａ（チップアンテナ）が実装されている。また、無線モジュール２０の下端側のコネクタ（不図示）には、メイン基板３２と接続さるフレキシブル基板（不図示）が接続されている。
【００２３】
また、フロントカバー７の下部に設けられた窓１１の対向位置には、受光センサ２２と投光ユニット３０が並列して配置されている。窓１１は投光ユニット３０と対向する位置にプリズムが形成され、投光ユニット３０から射出される単一のパターンを複数に光線分割して投影する。
【００２４】
次に、図３乃至図６を参照して、ヘッド部２の内部構成について説明する。図４（ａ）はヘッド部２の上面側から見た分解斜視図、図４（ｂ）はヘッド部２の下面側から見た分解斜視図である。図５は、発光ユニット５３の下面から見た分解斜視図である。図６は、ヘッド部２の左右方向に直交する断面を示す断面図である。
【００２５】
本実施形態のストロボ装置１は、光学パネル４と光源であるキセノン管５２の相対距離変化により照射角を変化させる電動ズーム機能を備えている。ヘッド部２内部の大部分は、電動ズーム機能の機構を構成する発光ユニット５３で占められている。発光ユニット５３の構造体であるフード５６には、スクリュー（不図示）を備えたモータユニット１８が取り付けられている。
【００２６】
反射傘ホルダ５７には、光源であるキセノン管５２、および、キセノン管５２の光を前方へ反射させる反射傘５１が取り付けられている。反射傘ホルダ５７は、スクリュー（不図示）の回転に連動して光学パネル４とキセノン管５２の相対距離を変化させる。フード５６は、反射傘５１で発光ユニット５３の照射方向へと反射されなかった光を発光ユニット５３の照射方向へと反射する。そのため、フード５６は、効率よく光を発光ユニット５３の照射方向へと反射できるように、発光ユニット５３の照射光の光軸に直交する平面における開口が光学パネル４に近づくほど大きくなる形状になっている。
【００２７】
以上のように、フード５６は、一部に開口を有するようにキセノン管５２を囲み、キセノン管５２から照射された光の一部を開口の方向へ反射する反射部材といえる。フード５６の背面（バウンスケース６側）には、キセノン管５２と接続されたヘッド基板６０が取り付けられている。
【００２８】
次に、ヘッド基板６０の構成について説明する。発光ユニット５３の下部には、バウンスアダプター検知基板１０１及びカラーフィルター検知基板１０２が配置され、各基板はヘッド基板６０と半田等によって接続されている。
【００２９】
ヘッド基板６０には、発光制御に付随する回路、コネクタ１０５、トリガートランジスタ（ＩＧＢＴ）１０７、メイントランジスタ（ＩＧＢＴ）１０６が実装されている。メイントランジスタ（ＩＧＢＴ）１０６は、ヘッド基板６０のトリガートランジスタ（ＩＧＢＴ）が実装されている面とは異なる面に実装されている。コネクタ１０５は、バウンスケース６側に集約し実装され、前述した不図示の配線類と接続される。トリガートランジスタ（ＩＧＢＴ）１０７は、キセノン管５２を発光させるためのトリガーとなる高電圧を印加する制御を行う。
【００３０】
円筒形状のバウンスケース６の内部には、コンデンサ２８（メインコンデンサ）が設けられている。すなわち、コンデンサ２８は、ヘッド部２を制御部３に対して相対的に上下方向（Ｚ方向）に回動させる際の回動軸上に配置されている。また、コンデンサ２８は、後述するヘッド部２と制御部３の連結部近傍に配置され、ヘッド部２に収納されて、キセノン管５２を発光させるための電荷を蓄積する。この蓄積電荷により、キセノン管５２の発光に必要な高電圧が生成される。制御部３と対向するバウンスケース６の下面には、左右旋回用（ＸＹ平面内旋回用）の軸部６ａが形成されている。
【００３１】
ヘッド基板６０に接続された不図示の配線類は、バウンスケース６の円筒中心を回転中心とするヘッドアッパーカバー５とバウンスケース６間の不図示の回転部を通って、コンデンサ収納部６ｃに導かれる。これらの配線類は、コンデンサ２８に接続される配線とともにワイヤーハーネス２６を構成する。ワイヤーハーネス２６は、軸部６ａの中央に形成された穴部６ｂからヘッド部２の外側に引き出される。
【００３２】
ワイヤーハーネス２６の先端には、不図示のコネクタが取り付けられている。このコネクタは、ヘッド部２の内部に設けられたヘッド基板６０等の回路と制御部３の内部に設けられた各基板（制御基板）とを電気的に接続する。このようにワイヤーハーネス２６は、ヘッド部２に設けられたキセノン管５２及びコンデンサ２８等の電子部品と、制御部３に設けられた制御基板とを電気的に接続する。
【００３３】
空間領域３５は、ワイヤーハーネス２６を弛緩状態で収納する。また、バウンスケース６の軸部６ａの先端には、回転板２７が取り付けられ、回転板２７は、ヘッド部２の左右旋回を所定の角度で規制する役割を有する。また、回転板２７は、制御部３からのヘッド部２の抜け止めの役割を有し、ヘッド部２と制御部３の連結部といえる。
【００３４】
次に、図６及び図７を参照して、ワイドパネル５５とキャッチライトシート２００の収納状態の構成を説明する。図７は、ヘッドアッパーカバー５を取り外した状態のヘッド部２の内部を示す斜視図である。
【００３５】
図６及び図７に示すように、発光ユニット５３とヘッドアッパーカバー５に挟まれた空間には、ワイドパネル５５及びキャッチライトシート２００が収納されている。また、キャッチライトシート２００は、本発明の複数の反射板の一例に相当する中央キャッチライトシート２００ａと、左キャッチライトシート２００ｂと、右キャッチライトシート２００ｃとから構成されている。このとき、左キャッチライトシート２００ｂと右キャッチライトシート２００ｃとが互いに重ならないように収納することで、収納された際のキャッチライトシート２００の厚みを最小限に抑えている。
【００３６】
ワイドパネル５５に設けられた突起５５ａは、中央キャッチライトシート２００ａの穴２０１が係合した状態で収納されている。ワイドパネル５５は、反射傘ホルダ５７の移動だけでは得られない、より広角の照射角を得るための光拡散性を有する光学部材である。ワイドパネル５５は、ワイドパネルホルダ５４に軸支されるとともに、図６において左旋方向の付勢力を受けている。
【００３７】
キャッチライトシート２００は、ストロボ装置１から照射される光の一部を被写体側へ反射させて照射する反射部材であり、所謂バウンス撮影を行う際に用いる。バウンス撮影の際に、ストロボ装置１から照射される光が被写体である人物の瞳に直接入らないため、黒目が平面的でしまりがなく、生き生きとした表情の写真を得ることができない。
【００３８】
一般的に、キャッチライトシート２００の面積が大きければ大きいほど、人物の瞳に映る面積も大きくなり、より生き生きとした表情を撮影できるのは周知である。また、キャッチライトシート２００の形状がそのまま瞳に投影されることから、反射部材であるキャッチライトシート２００の形状は、円形であるほうが良いことも周知である。
【００３９】
キャッチライトシート２００は、前述のように、中央キャッチライトシート２００ａ、左キャッチライトシート２００ｂ及び右キャッチライトシート２００ｃの３枚の反射板から構成されている。中央キャッチライトシート２００ａに対して、左キャッチライトシート２００ｂ及び右キャッチライトシート２００ｃが、樹脂製のカシメ部材２０４等を介して回転可能に係止されている。
【００４０】
左キャッチライトシート２００ｂ及び右キャッチライトシート２００ｃには、それぞれフォロア２０２ｂ及びフォロア２０２ｃがカシメ等によって取り付けられている。本実施形態では、フォロア２０２ｂ，２０２ｃは樹脂製である。外装部材であるヘッドアッパーカバー５の内面には、フォロア２０２ｂ，２０２ｃのそれぞれに対応するカム溝１２ｂ，１２ｃが設けられている。フォロア２０２ｂ及びフォロア２０２ｃは、それぞれに対応するカム溝１２ｂ及びカム溝１２ｃに沿って移動するが、詳細は後述する。
【００４１】
次に、図６及び図８を参照して、キャッチライトシート２００のヘッド部２に対する挿抜動作について説明する。図８は、ヘッド部２に対するキャッチライトシート２００の挿抜動作について説明する上面図である。なお、図８では、キャッチライトシート２００の挿抜動作を分かりやすく説明するため、図中の部品は全て透明として図示している。
【００４２】
図６に示すように、ヘッド部２の光学パネル４側には、ワイドパネル５５とキャッチライトシート２００を挿抜するための挿抜開口部２０３が設けられている。ワイドパネル５５が収納された状態において、ワイドパネル５５には、挿抜開口部２０３から突出するように引き出し用ノブ５５ｂが設けられている。
【００４３】
ワイドパネル５５の使用時には、引き出し用ノブ５５ｂをストロボ光の照射方向へ引っ張ることで、ワイドパネル５５がヘッド部２から引き出され、前述の付勢力により光学パネル４の前面に覆いかぶさるように配置される。ワイドパネル５５の引き出しと同時に、ワイドパネル５５の突起５５ａに係合した穴２０１が中央キャッチライトシート２００ａは、係合状態を維持したまま、同時に引き出されることになる。
【００４４】
また、中央キャッチライトシート２００ａに対して回転可能に係合している左キャッチライトシート２００ｂ及び右キャッチライトシート２００ｃも同時に引き出されることになる。係合状態を維持するために、左キャッチライトシート２００ｂ及び右キャッチライトシート２００ｃの移動軌跡が中央キャッチライトシート２００ａの穴２０１に干渉することのないように設定されている。
【００４５】
左キャッチライトシート２００ｂ及び右キャッチライトシート２００ｃには、前述のフォロア２０２ｂ及びフォロア２０２ｃが設けられている。フォロア２０２ｂ及びフォロア２０２ｃは、キャッチライトシート２００の引き出しに伴って、それぞれに対応したカム溝１２ｂ及びカム溝１２ｃに従い、左右のキャッチライトシート２００ｂ，２００ｃをヘッド部２の左右方向の外側へ向けて扇型に展開する。
【００４６】
ヘッドアッパーカバー５のカム溝１２ｂ及びカム溝１２ｃは、キャッチライトシート２００が全開するまでの引き出し移動量を１とした場合、引き出しの初動から略移動量３／４までは、引き出し方向と同一の方向に設けている。また、カム溝１２ｂ及びカム溝１２ｃは、移動量３／４から移動量１までの間は、ヘッドアッパーカバー５の外側（左右方向）に向けて、左右方向に拡がるように傾斜して設けている。
【００４７】
キャッチライトシート２００の引き出し初動からヘッドアッパーカバー５の外側（左右方向）に向けて溝を設けてしまうと、引き出しの初動から左キャッチライトシート２００ｂ及び右キャッチライトシート２００ｃが溝に沿って外側（左右方向）へ開いてしまう。これ回避するためには、ヘッドアッパーカバー５に干渉しないように、左右のキャッチライトシート２００ｂ，２００ｃを小さくしなくてはならず、引き出し後に扇形に展開したときのキャッチライトシート２００の面積を大きくすることができない。
【００４８】
このように、ワイドパネル５５の引き出し動作によって、中央キャッチライトシート２００ａ、左キャッチライトシート２００ｂ及び右キャッチライトシート２００ｃが追従し引き出されることになる。
【００４９】
ここで、図８（ｃ）に示すように、キャッチライトシート２００が展開した状態では、中央キャッチライトシート２００ａに対して、左右のキャッチライトシート２００ｂ，２００ｃが扇状に開く。これにより、キャッチライトシート２００の面積を大きく確保することができる。このとき、中央キャッチライトシート２００ａに対して、左右のキャッチライトシート２００ｂ，２００ｃは重なる部分を残している。これは、収納時に中央キャッチライトシート２００ａの端部と左右のキャッチライトシート２００ｂ，２００ｃの外形端部同士が当たらないようにして、スムーズな挿抜動作を行うためである。
【００５０】
また、被写体側から見たときに、扇状に開いたキャッチライトシート２００は、一部が略円形となるように、外形形状が設定されている。また、被写体側のキャッチライトシート２００は反射部材であるため、大きな穴や不必要な形状をできる限り排除している。本実施形態では、突起５５ａと中央キャッチライトシート２００ａの穴２０１のみで、中央キャッチライトシート２００ａと左右のキャッチライトシート２００ｂ，２００ｃの係合部やフォロアは、扇状に展開した場合でもヘッド部２の内部に収まるようにしている。
【００５１】
これらにより、ストロボ装置１から照射される光を被写体側へ反射させる反射光の量を十分に確保することができるとともに、被写体の瞳の中に略円形のキャッチライトを入れ、生き生きとした表情を撮影することができる。
【００５２】
前述の引き出し動作によって、ワイドパネル５５が引き出され、光学パネル４の前面に覆いかぶさるように配置されるとともに、キャッチライトシート２００も引き出された状態になる。この状態から、ストロボ装置１から照射される光はワイドパネル５５によって拡散されるため、所謂バウンス撮影に必要な光量が不足する撮影シーンが発生する。
【００５３】
この場合、キャッチライトシート２００のみを使用するため、ワイドパネル５５を収納する必要がある。ワイドパネル５５を収納する場合、ワイドパネル５５の突起５５ａと中央キャッチライトシート２００ａが干渉することになるが、中央キャッチライトシート２００ａが弾性変形をすることで収納が可能になる。その後、キャッチライトシート２００を収納する場合、中央キャッチライトシート２００ａを保持し挿抜開口部２０３の方向へ移動させることで収納が可能である。また、左キャッチライトシート２００ｂ及び右キャッチライトシート２００ｃは中央キャッチライトシート２００ａと係合しているため、中央キャッチライトシート２００ａに追従して収納されることになる。
【００５４】
前述のキャッチライトシート２００だけを使用するのとは別の使用方法として、ワイドパネル５５のみを使用する場合を説明する。前述の引き出し動作によって、ワイドパネル５５及びキャッチライトシート２００が引き出された状態において、キャッチライトシート２００のみを収納する。この場合も、前述と同じく、中央キャッチライトシート２００ａを保持し挿抜開口部２０３の方向へ移動させることで中央キャッチライトシート２００ａと左右のキャッチライトシート２００ｂ，２００ｃを収納可能である。その後、ワイドパネル５５を収納する場合、ワイドパネル５５の突起５５ａによって中央キャッチライトシート２００ａが弾性変形をすることで収納位置に収納できる。
【００５５】
以上説明したように、本実施形態では、キャッチライトシート２００がストロボ装置１の内部に収納可能であり、かつ、キャッチライトシート２００の大きさがストロボ装置１の大きさに依存しないストロボ装置１を提供することができる。
【００５６】
なお、本実施形態では、中央キャッチライトシート２００ａ、左キャッチライトシート２００ｂ、及び右キャッチライトシート２００ｃの３枚構成のキャッチライトシート２００としているが、枚数を増やした場合も同様の効果を得ることができる。
【００５７】
（第２の実施形態）
次に、図９及び図１０を参照して、本発明の照明装置の第２の実施形態に係るストロボ装置について説明する。なお、本実施形態では、上記第１の実施形態と重複する部分については、各図に同一符号を付してその説明を省略する。
【００５８】
まず、ワイドパネル５５とキャッチライトシート２００の収納状態について説明する。図９は、ヘッドアッパーカバー５を取り外した状態のヘッド部２の上面斜視図である。
【００５９】
本実施形態では、上記第１の実施形態と同様に、発光ユニット５３とヘッドアッパーカバー５に挟まれた空間に、ワイドパネル５５及びキャッチライトシート２００が収納されているが、キャッチライトシート２００の構成が上記第１の実施形態とは異なる。キャッチライトシート２００は、前キャッチライトシート２００ｄと後キャッチライトシート２００ｅとから構成されている。
【００６０】
後キャッチライトシート２００ｅには、引き出し方向と平行となる方向に、２つのスライド溝２０５を有している。スライド溝２０５に対応するカシメ部材２０６によって、後キャッチライトシート２００ｅを挟み込み、カシメ部材２０６を前キャッチライトシート２００ｄへカシメ固定している。後キャッチライトシート２００ｅは、カシメ部材２０６とは直接固定されていないため、スライド溝２０５に沿って引き出し方向へのスライド動作が可能である。
【００６１】
また、スライド溝２０５は、前キャッチライトシート２００ｄと後キャッチライトシート２００ｅとをスライド動作が可能にカシメ部材２０６と係合している他に、前キャッチライトシート２００ｄを引き出す際の傾きを抑制するガイドの役目を担っている。そのため、スライド溝２０５は、キャッチライトシート２００の引き出し方向へ長い形状とし、係合長を確保している。また、キャッチライトシート２００の収納状態においては、第１の実施形態と同様に、ワイドパネル５５に設けられた突起５５ａには、前キャッチライトシート２００ｄの穴２０１が係合した状態で収納されている。
【００６２】
次に、図９及び図１０を参照して、キャッチライトシート２００の挿抜動作について説明をする。図１０は、ヘッド部２に対するキャッチライトシート２００の挿抜動作について説明をする上面図である。なお、図１０では、キャッチライトシート２００の挿抜動作を分かりやすく説明するため、図中の部品は全て透明として図示している。
【００６３】
キャッチライトシート２００を引き出すためには、上記第１の実施形態と同様に、ワイドパネル５５の引き出し用ノブ５５ｂを保持し、光源の照射方向へ引っ張ることで、突起５５ａに係合した状態で前キャッチライトシート２００ｄが引き出される。
【００６４】
同時にカシメ部材２０６がスライド溝２０５を移動し、スライド溝２０５の端部に突き当たった後、後キャッチライトシート２００ｅが追従して引き出され、図１０（ｂ）に示す状態となる。図１０（ｂ）の状態から、前キャッチライトシート２００ｄを保持し、さらに光源の照射方向へ引き出すことで、後キャッチライトシート２００ｅがヘッド部２から完全に引き出され、図１０（ｃ）に示す状態となる。図１０（ｃ）に示す状態では、キャッチライトシート２００の一部が略円形になっている。
【００６５】
上記第１の実施形態では、キャッチライトシート２００が左右に展開することで面積を大きくしたが、本実施形態では、光源の照射方向への引き出し方向に対して、キャッチライトシート２００を展開することで、同様の効果を得ることができる。また、本実施形態では、前キャッチライトシート２００ｄと後キャッチライトシート２００ｅの２枚構成としているが、枚数を増やした場合も同様の効果を得ることができる。その他の構成、及び作用効果は、上記第１の実施形態と同様である。
【００６６】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【００６７】
１  ストロボ装置
２  ヘッド部
５  ヘッドアッパーカバー
１２ｂ，１２ｃ  カム溝
５５  ワイドパネル
５５ａ  突起
５５ｂ  引き出し用ノブ
２００  キャッチライトシート
２００ａ  中央キャッチライトシート
２００ｂ  左キャッチライトシート
２００ｃ  右キャッチライトシート
【図１】
2019124783.tif 000003
【図２】
2019124783.tif 000004
【図３】
2019124783.tif 000005
【図４】
2019124783.tif 000006
【図５】
2019124783.tif 000007
【図６】
2019124783.tif 000008
【図７】
2019124783.tif 000009
【図８】
2019124783.tif 000010
【図９】
2019124783.tif 000011
【図１０】
2019124783.tif 000012